(57)【要約】【課題】  印刷設定で指定した紙種と、給紙トレイに設定されている紙種が不一致となっているときの円滑で効率的な処理を可能とする。【解決手段】  クライントＰＣでは、紙種のミスマッチが発生した時の処理が可能となっており、プリンタでは、ミスマッチが発生すると、印刷設定での指定を適用するかプリンタの設定を適用するかを確認し（ステップ１２０、１２２）、印刷設定を適用するときには、ユーザ介入無しでのプリント処理、一時的な紙種の変更、プリンタで設定されている紙種を用いたプリント処理、プリント中止の何れか（ステップ１２８〜１４２）に加え、給紙トレイに対する紙種の設定変更（ステップ１４０、１４４）を、クライアントＰＣでの印刷設定に基づいて行う。【選択図】        図９
2006205402.tif 000002
【特許請求の範囲】
【請求項１】
それぞれに収容している画像形成用紙の紙種を設定され、印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置と、前記画像形成装置に接続されて、前記印刷設定を含む印刷ジョブを出力する画像処理装置と、を含む画像形成システムであって、
前記画像処理装置が、
前記印刷設定の紙種と前記給紙トレイごとに設定されている紙種が不一致となるミスマッチ発生したときに、前記給紙トレイの紙種の設定を変更するか否かを指示可能とする印刷設定手段を含み、
前記画像形成装置が、
各種の設定指示の入力操作を可能とする入力操作手段と、
前記印刷設定手段によって前記給紙トレイの紙種の変更が指示されているときに、前記入力操作手段から紙種を変更する給紙トレイが指示されることにより、該給紙トレイから取出す前記画像形成用紙に、前記印刷ジョブで指定された紙種に基づいて画像形成可能とするミスマッチ処理手段と、
を含むことを特徴とする画像形成システム。
【請求項２】
前記印刷設定手段が、前記紙種の変更を該当ジョブに限るか又は前記給紙トレイの紙種の設定変更を行うかを指定可能であり、
前記画像形成装置が紙種の設定変更が指示されることにより前記給紙トレイの紙種の設定変更を行うことを特徴とする請求項１に記載の画像形成システム。
【請求項３】
前記印刷設定手段が、前記ミスマッチ発生時に画像形成処理の中止を指定可能であることを特徴とする請求項１又は請求項２に記載の画像形成システム。
【請求項４】
前記印刷設定手段が、前記ミスマッチ発生時に前記画像形成装置に設けている前記入力操作手段を介した処理の入力を指定可能であることを特徴とする請求項１から請求項３の何れか１項に記載のが像形成システム。
【請求項５】
前記ミスマッチ処理手段に、前記ミスマッチが発生した時に対する処理が設定されているとき、前記印刷設定手段が、前記ミスマッチ処理手段の設定を指定可能であることを特徴とする請求項１から請求項４の何れか１項に記載の画像形成システム。
【請求項６】
それぞれに収容している画像形成用紙の紙種を設定され、印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置に接続され、前記印刷設定を含む印刷ジョブを出力する画像処理装置であって、
前記印刷設定の紙種と前記給紙トレイごとに設定されている紙種が不一致となるミスマッチが発生したときに、前記給紙トレイの紙種の設定を変更するか否かを指示可能とする印刷設定手段を含むことを特徴とする画像処理装置。
【請求項７】
前記印刷設定手段が、前記紙種の変更を該当ジョブに限るか又は前記給紙トレイの紙種の設定変更を行うかを指定可能であることを特徴とする請求項６に記載の画像処理装置。
【請求項８】
前記印刷設定手段が、前記ミスマッチ発生時に画像形成処理の中止を指定可能であることを特徴とする請求項６又は請求項７に記載の画像処理装置。
【請求項９】
前記印刷設定手段が、前記ミスマッチ発生時に前記画像形成装置上で入力操作手段を介した処理の入力操作を指定可能であることを特徴とする請求項６から請求項８の何れか１項に記載の画像処理装置。
【請求項１０】
前記画像形成装置に、前記ミスマッチが発生した時に対する処理が設定されているとき、前記印刷設定手段が、該画像形成装置の設定を指定可能であることを特徴とする請求項６から請求項９の何れか１項に記載の画像処理装置。
【請求項１１】
給紙トレイに収容している画像形成用紙の紙種を設定され、画像処理装置から画像形成に用いる紙種が指定された印刷設定を含む印刷ジョブが入力されたときに、該印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置であって、
各種の設定指示の入力操作を可能とする入力操作手段と、
前記印刷設定に、該印刷設定の紙種と前記給紙トレイごとに設定されている紙種が不一致となるミスマッチが発生したときに、前記給紙トレイの紙種の設定変更が指示されているときに、前記入力操作手段から紙種を変更する給紙トレイが指定されることにより、該給紙トレイから取出す前記画像形成用紙に、前記印刷ジョブで指定された紙種に基づいて画像形成可能とするミスマッチ処理手段と、
を含むことを特徴とする画像形成装置。
【請求項１２】
前記印刷設定で前記給紙トレイの紙種の設定変更が指定されているときに、前記給紙トレイの紙種の設定変更を行う設定手段を含む、ことを特徴とする請求項１１に記載の画像形成装置。
【請求項１３】
前記印刷設定で、画像形成処理の中止が指定されているときに、前記ミスマッチ発生時に該当印刷ジョブに対する処理を中止することを特徴とする請求項１１又は請求項１２に記載の画像形成装置。
【請求項１４】
前記印刷設定で、前記入力操作手段による処理の入力が指定されているときに、前記入力操作手段を介して入力される指定に基づいた処理を行うことを特徴とする請求項１１から請求項１３の何れか１項に記載の画像形成装置。
【発明の詳細な説明】
【技術分野】
【０００１】
本発明は、シート状の記録材料などの用紙に画像を形成する画像形成装置に係り、詳細には、給紙トレイごとに設定される用紙の紙種に応じた画像形成処理を実行する画像形成システム、画像処理装置及び画像形成装置に関する。
【背景技術】
【０００２】
電子写真プロセスを用いて記録紙（以下、用紙とする）に画像データに応じた画像を形成する画像形成装置には、プリンタ、複写機、ファクシミリ或いはこれらの機能を併せ持つ複合機などがある。
【０００３】
この画像形成装置では、画像データに応じたトナー像を感光体ドラム上に形成し、中間転写体を介してトナー像を記録紙に転写する。この後に、画像形成装置では、トナー像を転写した用紙を加圧しながら加熱することにより、トナー像を溶融させて用紙に定着する。これにより、画像データに応じた画像を用紙に形成するようにしている。
【０００４】
一方、画像形成装置では、Ａ４、Ａ３サイズや、Ｂ５、Ｂ４サイズなどの各種サイズの用紙への画像形成が可能である。また、画像形成装置では、普通紙のみならず、ＯＨＰフィルム、薄紙や厚紙、上質紙や中質紙、コート紙、アート紙など各種の紙質の用紙への画像形成が要求され、高品質の画像を形成するためには、例えば、紙質を含む紙種に応じて定着温度などのパラメータ等の各種のパラメータを適切に設定する必要がある。
【０００５】
ここから、画像形成装置では、給紙トレイごとに収容されている用紙の種類が設定されるようになっており、例えば、画像データ又は印刷指定に基づいた種類の用紙を収容している給紙トレイを選択し、選択した給紙トレイを指定して用紙を取りだして画像形成（印刷処理）を行うようにしている。
【０００６】
ところで、画像形成装置では、パーソナルコンピュータなどの画像処理装置とネットワーク接続され、画像処理装置から印刷ジョブとして送信される画像や文書を受信すると、この印刷ジョブに応じた画像形成処理（印刷処理）を実行する。このとき、画像処理装置では、印刷設定として紙種の指定が可能となっており、画像形成装置では、この印刷設定で指定されている紙種と一致する紙種を収容している給紙トレイを選択するようにしている。
【０００７】
一方、印刷設定で紙種が指定されているときに、画像形成装置に該当する紙種の用紙が収容されていないミスマッチが発生することがある。このような紙種のミスマッチが発生した場合、印刷処理が中断してしまうことがあり、また、印刷処理が実行されたときにも、画像処理装置を利用して印刷ジョブを送ったユーザーの意図しない紙種の用紙に画像が形成されてしまったり、印刷出力される画像の画質低下が生じてしまうことがある。
【０００８】
ここから、画像形成装置の設定と、印刷ジョブでの印刷設定の何れを優先するかを予め設定しておき、ミスマッチが発生した時にこの設定に基づいた処理を実行することにより、画像処理装置を利用するユーザーの意図しない処理が実行されるのを防止するようにした提案がなされている（例えば、特許文献１参照）。
【０００９】
また、この提案では、ユーザーごとにミスマッチが発生した時に対する処理の設定を可能としている。
【００１０】
しかしながら、紙種や紙種のミスマッチに対する設定は、画像形成装置上で、所定のメニューを表示して行われるようになっており、印刷ジョブごとに設定を行うには、煩雑な処理が必要となってしまう。
【００１１】
このために、例えば、ミスマッチが発生した時に、印刷処理を中断し、印刷設定に応じた紙種の用紙を、必要枚数だけ何れかの給紙トレイ内の用紙上に重ね、その後に、画像形成装置上での操作によって印刷処理を実行するように設定されることがある。
【００１２】
このような操作を行うときには、通常、必要枚数よりも余分に装填するために、印刷処理が終了したときに、余った用紙を給紙トレイから取出し忘れると、本来の設定と異なる紙種の用紙が給紙トレイに残ってしまうことになる。すなわち、給紙トレイに対する紙種の設定が変更されていないために、該当給紙トレイには、最上部の数枚の用紙が設定と異なる紙種となっている。
【００１３】
このために、本来、設定されている紙種が指定されたときには、最初に異なる紙種の用紙への印刷処理が実行されてしまい、その印刷ジョブを依頼したユーザーの意図しない紙種の用紙に印刷処理がなされてしまうという問題が生じる。
【００１４】
例えば、普通紙が装填されている給紙トレイに、ＯＨＰ用紙を普通紙に重ねて装填して印刷処理したときに、ＯＨＰ用紙が残ったままとなると、次に普通紙を用いて印刷処理するために、この給紙トレイが選択されると、普通紙に印刷処理したいにもかかわらず、残っているＯＨＰ用紙に印刷処理されてしまうことになる。
【特許文献１】特開２００３−６３１０９号公報
【発明の開示】
【発明が解決しようとする課題】
【００１５】
本発明は上記事実に鑑みてなされたものであり、画像形成装置での給紙トレイごとの紙種の設定及び、印刷ジョブで設定されている紙種と画像形成装置の給紙トレイに装填されている紙種が相違するミスマッチに対する設定を容易にすることにより、ユーザーの意図する紙種へ適正な画像形成が可能となるようにする画像形成システム、画像処理装置及び画像形成装置を提案することを目的とする。
【課題を解決するための手段】
【００１６】
上記目的を達成するために本発明は、それぞれに収容している画像形成用紙の紙種を設定され、印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置と、前記画像形成装置に接続されて、前記印刷設定を含む印刷ジョブを出力する画像処理装置と、を含む画像形成システムであって、前記画像処理装置が、前記印刷設定の紙種と前記給紙トレイごとに設定されている紙種が不一致となるミスマッチ発生したときに、前記給紙トレイの紙種の設定を変更するか否かを指示可能とする印刷設定手段を含み、前記画像形成装置が、各種の設定指示の入力操作を可能とする入力操作手段と、前記印刷設定手段によって前記給紙トレイの紙種の変更が指示されているときに、前記入力操作手段から紙種を変更する給紙トレイが指示されることにより、該給紙トレイから取出す前記画像形成用紙に、前記印刷ジョブで指定された紙種に基づいて画像形成可能とするミスマッチ処理手段と、を含むことを特徴とする。
【００１７】
この発明によれば、画像形成装置へ印刷ジョブを出力する画像処理装置に紙種を指定する印刷設定手段を含んでおり、また、画像形成装置に給紙トレイごとに収容している画像形成用紙の紙種が設定されており、画像形成装置は、印刷ジョブで指定されている紙種と一致する紙種が設定されている給紙トレイを選択し、選択した給紙トレイを指定して画像形成用紙を取出し、紙種に基づいて画像形成制御を行って画像を形成する。
【００１８】
また、印刷設定手段では、印刷設定で指定している紙種が、給紙トレイに設定されていないミスマッチが発生したときに対する処理として、給紙トレイの紙種の変更を設定可能としている。
【００１９】
画像形成装置では、ミスマッチ発生時に、給紙トレイの紙種の変更が設定されていると、入力操作手段の入力操作によって選択された給紙トレイから取出す紙種を、印刷ジョブで設定されている紙種として画像形成処理を行う。
【００２０】
これにより、例えば、給紙トレイの何れかに、印刷ジョブで指定した紙種の画像形成用紙と装填して、該当給紙トレイを選択することにより、所望の紙種の画像形成用紙に、高品質の画像形成が可能となる。
【００２１】
このような本発明における紙種は、Ａ４サイズ、Ａ５サイズ、Ｂ５サイズ、Ｂ４サイズなどの用紙サイズ及び、普通紙、ＯＨＰフィルム、薄紙や厚紙、上質紙や中質紙、再生紙、コート紙、アート紙、色紙などの紙質を含み、また、孔空き紙などの形状を含むこともできる。
【００２２】
また、請求項２に係る発明は、前記印刷設定手段が、前記紙種の変更を該当ジョブに限るか又は前記給紙トレイの紙種の設定変更を行うかを指定可能であり、前記画像形成装置が紙種の設定変更が指示されることにより前記給紙トレイの紙種の設定変更を行うことを特徴とする。
【００２３】
この発明によれば、印刷設定手段で、紙種の変更を、該当ジョブに限るか、給紙トレイに対する紙種の設定を継続させる（恒久的とする）設定変更かを指定でき、画像形成装置では、設定変更が指定されていることにより、変更された紙種を、該当給紙トレイの紙種の設定にして記憶保持する。
【００２４】
これにより、給紙トレイに対する紙種の設定が容易となると共に、次に同じ紙種を指定した印刷ジョブを行うときにミスマッチが生じることがなく、円滑な印刷処理が可能となる。
【００２５】
また、本発明は、前記印刷設定手段が、前記ミスマッチ発生時に画像形成処理の中止を指定可能であっても良く、前記印刷設定手段が、前記ミスマッチ発生時に前記画像形成装置に設けている前記入力操作手段を介した処理の入力を指定可能であっても良く、さらに、前記ミスマッチ処理手段に、前記ミスマッチが発生した時に対する処理が設定されているとき、前記印刷設定手段が、前記ミスマッチ処理手段の設定を指定可能であっても良い。
【００２６】
一方、本発明が適用されている画像処理装置は、それぞれに収容している画像形成用紙の紙種を設定され、印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置に接続され、前記印刷設定を含む印刷ジョブを出力する画像処理装置であって、前記印刷設定の紙種と前記給紙トレイごとに設定されている紙種が不一致となるミスマッチが発生したときに、前記給紙トレイの紙種の設定を変更するか否かを指示可能とする印刷設定手段を含むものであれば良い。
【００２７】
また、本発明に適用する画像処理装置は、前記印刷設定手段が、前記紙種の変更を該当ジョブに限るか又は前記給紙トレイの紙種の設定変更を行うかを指定可能であっても良く、前記印刷設定手段が、前記ミスマッチ発生時に画像形成処理の中止を指定可能であっても良い。
【００２８】
さらに、本発明が適用される画像処理装置は、前記印刷設定手段が、前記ミスマッチ発生時に前記画像形成装置上で入力操作手段を介した処理の入力操作を指定可能であっても良く、前記画像形成装置に、前記ミスマッチが発生した時に対する処理が設定されているとき、前記印刷設定手段が、該画像形成装置の設定を指定可能であっても良い。
【００２９】
本発明に適用される画像形成装置は、給紙トレイに収容している画像形成用紙の紙種を設定され、画像処理装置から画像形成に用いる紙種が指定された印刷設定を含む印刷ジョブが入力されたときに、該印刷ジョブの印刷設定によって指定される紙種と一致する紙種を収容する給紙トレイを選択して、該給紙トレイから取出した画像形成用紙に、前記紙種に基づいて画像形成処理を制御して画像を形成可能とする画像形成装置であって、各種の設定指示の入力操作を可能とする入力操作手段と、前記印刷設定に、該印刷設定の紙種と前記給紙トレイごとに設定されている紙種が不一致となるミスマッチが発生したときに、前記給紙トレイの紙種の設定変更が指示されているときに、前記入力操作手段から紙種を変更する給紙トレイが指定されることにより、該給紙トレイから取出す前記画像形成用紙に、前記印刷ジョブで指定された紙種に基づいて画像形成可能とするミスマッチ処理手段と、を含むものであれば良い。
【００３０】
また、本発明が適用される画像形成装置は、前記印刷設定で前記給紙トレイの紙種の設定変更が指定されているときに、前記給紙トレイの紙種の設定変更を行う設定手段を含むことができる。
【００３１】
さらに、本発明が適用される画像形成装置は、前記印刷設定で、画像形成処理の中止が指定されているときに、前記ミスマッチ発生時に該当印刷ジョブに対する処理を中止することが可能であることが好ましく。前記印刷設定で、前記入力操作手段による処理の入力が指定されているときに、前記入力操作手段を介して入力される指定に基づいた処理を行うことが可能であることが好ましい。
【発明の効果】
【００３２】
以上説明したように本発明によれば、画像処理装置で、印刷ジョブで指定した紙種と給紙トレイの紙種が一致しないミスマッチが発生したときに対する処理を設定できると共に、画像処理装置で、給紙トレイの紙種の設定を変更できる。
【００３３】
これにより、印刷設定と画像形成装置で使用可能となっている紙種が一致しないときでも、印刷処理を行うための作業性の向上を図ることができるという優れた効果が得られる。
【発明を実施するための最良の形態】
【００３４】
以下に図面を参照しながら本発明の実施の一形態を詳細に説明する。図１には、本実施の形態に適用したネットワーク１０の概略構成を示している。このネットワーク１０は、画像形成装置１２及び、画像処理装置として設けられている複数のクライアント端末１４がネットワーク接続されて構成されている。
【００３５】
ネットワーク１０では、クライアント端末１４から送信された印刷ジョブを、画像形成装置１２が受信すると、画像形成装置１２が、この印刷ジョブに応じた印刷処理を実行する印刷ネットワークを形成している。なお、画像形成装置１２とクライアント端末１４のネットワーク接続は、任意のネットワークプロトコルを適用することができる。
【００３６】
また、画像形成装置１２としては、プリンタ、複写機、ファクシミリ或いはこれらの機能を併せ持つ複合機などの適用が可能であるが、以下では、これらの基本的機能を備えたプリンタを例に説明する（以下、プリンタ１２とする）。
【００３７】
図２に示すように、プリンタ１２は、画像形成に用いるシート状の記録材料（以下、用紙１６とする）が装填される給紙部１８、電子写真プロセスによって用紙１６に画像を形成するプリントエンジン（画像形成部）２０及び、用紙１６の搬送を担う搬送部２２を含んでいる。
【００３８】
プリントエンジン２０は、感光体ドラム２４が設けられた現像モジュール２６及び、レーザービーム等を用いたＲＯＳ（Raster Optical Scanner）等の露光手段（図示省略）を備えており、帯電器等を用いて感光体ドラム２４の表面を均一に帯電させた後に、画像データに応じてレーザービームを走査して露光することにより感光体ドラム２４上に静電潜像を形成し、この後に、トナー現像を施すことにより画像データに応じたトナー像（例えば黒（Ｋ）色のトナー像）を形成する。
【００３９】
プリントエンジン２０には、感光体ドラム２４に対向して転写ベルト２８が設けられており、給紙部１８から供給（給紙）される用紙１６を感光体ドラム２４と転写ベルト２８によって挟持する。このときに、プリントエンジン２０では、用紙１６と感光体ドラム２４に形成したトナー像を重ねながら用紙１６を搬送することにより、感光体ドラム２４上のトナー像を用紙１６に転写しながら送り出す。
【００４０】
なお、本実施の形態では、プリントエンジン２０として例えば、黒（Ｋ）色のトナーを用いた単色画像を形成するようにしているが、プリントエンジン２０としては、カラー画像の形成が可能なものであっても良い。
【００４１】
このときには、Ｋ色に加えて、Ｙ（イエロー）、Ｍ（マゼンタ）Ｃ（シアン）の各色の現像モジュールを用い、印刷用として入力される画像データ（カラー画像データ）を、ＲＩＰ処理することによりＹ、Ｍ、Ｃ、Ｋの各色成分のデータ（ラスタデータ）を生成し、それぞれのラスタデータを用いて、感光体ドラムを走査露光すると共に、Ｙ、Ｍ、Ｃ、Ｋの各色のトナーを用いてＹ、Ｍ、Ｃ、Ｋの各色のトナー像を形成し、これらのトナー像を中間転写体に重畳しながら転写するか、直接、用紙１６に重畳しながら転写して、フルカラーのトナー像を形成するものであれば良い。
【００４２】
プリントエンジン２０には、定着モジュール（定着器）３０が設けられている。この定着モジュール３０は、図示しないヒータによって所定の温度に加熱された定着ローラ３２を備えており、トナー像が転写された用紙１６を、定着ローラ３２によって挟持することにより加圧しながら加熱する。
【００４３】
これにより、トナーが溶融して用紙１６に定着され、画像データに応じた画像が用紙１６に形成される。なお、本発明が適用されるプリンタ１２は、これに限らず、電子写真プロセスによって用紙１６に画像を形成する任意の構成を適用することができる。
【００４４】
一方、給紙部１８には、それぞれに多数枚の用紙１６を積層して収容可能とする複数の給紙トレイ３４が設けられている。なお、本実施の形態では、比較的小サイズの用紙１６を収容する給紙トレイ３４Ａ、３４Ｂと、比較的大きいサイズの用紙１６まで収容が可能となっている給紙トレイ３４Ｃ、３４Ｄを設けており、総称するときに給紙トレイ３４とする。また、給紙トレイ３４の数及び収容可能な用紙１６のサイズなどはこれに限るものではない。
【００４５】
給紙トレイ３４には、取出しローラ及びフィードローラが設けられており、取出しローラによって最上層の用紙１６を取出し、この用紙１６をフィードローラによって送り出すようになっている。
【００４６】
搬送部２２は、給紙トレイ３４のから送り出された用紙１６をプリントエンジン２０の感光体ドラム２４と転写ベルト２８の間へ搬送する給紙用搬送路３６、定着モジュール３０から送り出される用紙１６を、装置外へ向けて案内搬送する排紙用搬送路３８を備えている。
【００４７】
給紙トレイ３４から送り出される用紙１６は、給紙用搬送路３６に沿って搬送されてプリントエンジン２０へ給紙される。なお、給紙用搬送路３６には、感光体ドラム２４の手前側の所定位置にレジローラ４０が設けられており、レジローラ４０によって、用紙１６を、感光体ドラム２４へのトナー像の形成に同期したタイミングで送り出す。これにより、用紙１６の一定位置にトナー像が重ねられるようになっている。
【００４８】
画像が形成されて定着モジュール３０から送り出される用紙１６は、排紙用搬送路３８に沿って搬送されることにより、例えば、図示しない排紙トレイ上に排出される。なお、プリンタ１２には、各種の後処理を行う後処理装置を設けることができ、このときには、用紙１６が排紙用搬送路３８に沿って搬送されることにより後処理装置へ送り込まれる。
【００４９】
プリンタ１２には、切換部４２、反転部４４及び両面用搬送路４６が設けられている。切換部４２は、定着モジュール３０から送り出された用紙１６の搬送方向を切換えて反転部４４へ案内する。これにより、プリンタ１２では、反転部４４へ送り込まれた用紙１６が排紙用搬送路３８へ戻されることにより、画像形成面を反転させて、用紙１６を排出することができるようになっている。
【００５０】
また、両面用搬送路４６は、反転部４４と給紙用搬送路３６を連結しており、用紙１６は、反転部４４から両面用搬送路４６を経て給紙用搬送路３６へ送り込まれることにより、再度の画像形成が可能となる。このときに、用紙１６の上下面が反転されることにより、プリンタ１２では、用紙１６の両面への画像形成（両面印刷）が可能となっている。
【００５１】
一方、図３に示すように、プリンタ１２には、画像処理部５０及び、装置の作動を制御するプリントコントローラ５２が設けられている。プリンタ１２では、図示しないネットワークインターフェイス等を介して、クライアント端末１４と接続されている。
【００５２】
図１に示すように、クライアント端末１４は、キーボードやマウスなどの入力デバイス、ＣＲＴディスプレイやＬＣＤなどの表示デバイスを備えた一般的構成のパーソナルコンピュータ、ワークステーションなどを適用することができる。
【００５３】
このクライアント端末１４には、入力デバイス、表示デバイス等を用いて文書、画像ないし文書や画像を含む各種のページレイアウトなどを作成するアプリケーション６０と共に、プリンタドライバ（プリンタドライバソフト）６２が設けられている。
【００５４】
クライアント端末１４では、例えばアプリケーション６０によって作成した文書などのデータ（画像データ）を、プリンタドライバ６２を用いて、印刷ジョブとしてプリンタ１２へ送信することができるようになっている。
【００５５】
図３に示すプリンタ１２に設けている画像処理部５０では、印刷ジョブが入力されると、印刷ジョブの画像データに対して印刷設定に基づいた画像処理を行うと共に、ＲＩＰ処理を行う。
【００５６】
プリントコントローラ５２には、給紙部１８、プリントエンジン２０及び搬送部２２に設けられている各種のデバイス及びセンサが接続されており、プリントコントローラ５２は、各種のセンサの検出結果に基づいて各種のデバイスの作動を制御することにより、印刷ジョブの印刷設定に基づいた用紙１６への画像形成処理を制御する。
【００５７】
一方、プリンタ１２には、例えば図示しないケーシングの上部に操作パネル５４が設けられている。この操作パネル５４は、各種の情報を表示するディスプレイと共に、ディスプレイの表示に基づいたキー入力が可能となっている。なお、このような操作パネル５４としては、例えば、ディスプレイと操作キーが一体となったタッチパネルなどを用いることができる。
【００５８】
操作パネル５４は、プリントコントローラ５２に接続している。プリンタ１２は、各種のＵＩ（ユーザーインターフェイス）を操作パネル５４に表示し、このＵＩを用いて各種の設定や設定情報の確認が可能となっている。また、プリントコントローラ５２には、このＵＩが記憶されており、このＵＩを用いた各種の設定情報の表示、設定の入力が可能となるようにしていると共に、入力された設定情報を記憶し、記憶している設定情報に基づいた各種のデバイスの制御を行うようになっている。
【００５９】
一方、プリンタ１２では、図示しないケーシングから給紙トレイ３４を引き出すことにより、用紙１６の補給が可能となっており、引き出した給紙トレイ３４を装置内部の所定位置まで押し込むことにより用紙１６が装填される一般的構成となっている。
【００６０】
給紙トレイ３４には、例えばＡ４サイズからＡ６サイズ、Ｂ４サイズ、Ｂ５サイズなどの各種サイズの用紙１６が収容可能となっており、また、給紙トレイ３４には、収容する用紙１６の周縁部（例えば給紙トレイ３４から用紙１６を送り出すときの送り出し方向に沿った一端側及び送り出し方向と直交する方向に沿った一端側）に対向する用紙ガイド（図示省略）が設けられている。
【００６１】
プリンタ１２では、給紙トレイ３４に用紙１６を収容するときに、用紙１６を所定位置に配置し、図示しない用紙ガイドをこの用紙１６の周縁部に当接させるようにしている。
【００６２】
また、給紙トレイ３４には、プリンタ１２に装填するときの装填方向奥側の面に、用紙ガイドの移動位置に応じて移動するサイズ検知用の複数の突部が設けられており、用紙ガイドの移動位置、すなわち、用紙１６のサイズや向きに応じて突部のパターンが変化する。
【００６３】
プリンタ１２の給紙部１８には、給紙トレイ３４のサイズ検知用の突部に対向してサイズ検知用のセンサ５６が設けられている。このセンサ５６は、給紙トレイ３４がプリンタ１２内に装填されたときに、用紙ガイドの移動位置に応じた突部のパターンを検知する。
【００６４】
このセンサ５６は、プリントコントローラ５２に接続しており、プリントコントローラ５２は、センサ５６の検知結果に基づいて、給紙トレイ３４が適正位置に装填されているか否かと共に、給紙トレイ３４が適正位置に装填されているときに、センサ５６によって検知する複数の突部のパターンから、該当給紙トレイ３４に収容されている用紙１６のサイズ（用紙サイズ）を判定するようになっている。
【００６５】
また、プリンタ１２は、コート紙、非コート紙は勿論、普通紙、厚紙、薄紙、上質紙、再生紙、色紙、ＯＨＰ用紙などの紙質の異なる各種の用紙１６への画像形成が可能となっている。すなわち、プリンタ１２では、各種のサイズ、各種の紙質など（以下、総称して紙種とする）の用紙１２への画像形成が可能となっている。
【００６６】
プリンタ１２では、例えば操作パネル５４に表示するＵＩを用いて、給紙トレイ３４Ａ〜３４Ｄに収容する用紙１６の紙質が設定されるようになっており、設定された紙質がプリントコントローラ５２に記憶される。これにより、プリントコントローラ５２では、給紙トレイ３４ごとの紙種の判定が可能となっている。
【００６７】
また、プリントコントローラ５２では、各デバイスの作動制御を行うときの用紙１６の紙種に応じたパラメータが設定されており、紙種に応じたパラメータを選択してデバイス制御を行うことにより、紙種の異なる用紙１６のそれぞれに高品質の画像形成が可能となるようにしている。
【００６８】
図４には、プリンタ１２に設けている操作パネル５４の一例を示している。操作パネル５４には、プリント可能時に点灯するプリントランプ６４Ａ、トナー交換時期に達すると点灯するトナー交換ランプ６４Ｂ及び、エラー発生時に点灯するエラーランプ６４Ｃと共に、各種の情報を表示するＬＣＤ６６が設けられている。なお、プリントランプ６４Ａ、トナー交換ランプ６４Ｂ及びエラーランプ６６Ｃとしては、所定の色のＬＥＤを用いることができる。
【００６９】
また、操作パネル５４には、省電力モード／プリントモードへ切換える節電キー６８、オンラインキー７０、プリント中止キー７２と共に、メニューキー７４、排出／セットキー７６及び、上、下、左、右のそれぞれに対応する矢印キー７８Ｕ、７８Ｄ、７８Ｌ、７８Ｒが設けられている。
【００７０】
プリンタ１２では、メニューキー７４を操作することにより、ＬＣＤ６６に操作／設定メニューの項目が表示される。このときに、矢印キー７８Ｕ、７８Ｄの操作によって、ＬＣＤ６６に表示する選択項目をスクロールさせながら順に切換え、矢印キー７８Ｌによって、表示している項目を選択し、該当項目のサブメニューを階層的に選択可能となっている。また、矢印キー７８Ｒは、ＬＣＤ６６に表示している項目の上の階層への切換え用となっている。
【００７１】
ここで、例えば、給紙トレイ３４Ａを「トレイＡ」として、この給紙トレイ３４Ａに収容する用紙１６の紙種を設定するときには、メニューキーを操作してＬＣＤ６６にメニュー項目を表示した状態で、矢印キー７８Ｕ、７８Ｄの操作によって「キカイ  カンリシャ  メニュー」を表示し、矢印キー７８Ｌの操作によって設定項目を表示する。
【００７２】
これにより、図５に示すように、「ヨウシ  ノ  オキカエ」が表示された状態で、矢印キー７８Ｄを操作することにより、給紙トレイ３４への紙種の設定に用いる「トレイ  ノ  ヨウシシュルイ」を表示する。なお、「プリント  セッテイ」には、「ヨウシシュルイエラー  ノ  ショリ」が含まれており、この設定項目で、印刷ジョブで設定されている紙種と、給紙トレイ３４に装填されている紙種が一致しないミスマッチが発生した時に対する設定を行うことができる。
【００７３】
ここで、「トレイ  ノ  ヨウシシュルイ」を表示した状態で矢印キー７８Ｌを操作することにより、給紙トレイ３４のごとの紙種の設定が可能となる。選択するトレイ（給紙トレイ）がＬＣＤ６６に表示されると共に、矢印キー７８Ｕ又は矢印キー７８Ｄの操作によって選択トレイ（表示）を切換えることができ、給紙トレイ３４Ａに対する紙種を設定するときには、「トレイＡ」を表示した状態で、矢印キー７８Ｌを操作する。
【００７４】
これにより、トレイＡに設定されている紙種（紙質）が表示される共に、矢印キー７８Ｕ、７８Ｄを操作することにより、紙種が切換えられる。ここで、紙種を上質紙に設定するときには、ＬＣＤ６６に「ジョウシツシ」を表示した状態で、排出／セットキー７６を操作する。また、この設定処理はメニューキー７４の操作によって終了することができる。
【００７５】
また、プリンタ１２では、「プリント  セッテイ」で「ヨウシノ  オキカエ」（用紙の置換え）を選択することができる。この用紙の置換えとしては、「シナイ」、「オオキイサイズヲ  センタク」（大きいサイズを選択）、「チカイサイズヲ  センタク」（近いサイズを選択）及び、「テザシトレイカラ  キュウシ」（手差しトレイから給紙）の何れかに設定することができる。
【００７６】
これにより、例えば、印刷ジョブ上で用紙１６の紙質が設定されていないか、紙質は一致するがサイズの一致しない用紙１６しかないときの処理を行うことができるようにしている。
【００７７】
一方、クライアント端末１４のプリンタドライバ６２では、印刷設定として、印刷部数、両面印刷／片面印刷などに加えて、用紙サイズ、紙質などの紙種の設定が可能となっている。
【００７８】
プリンタ１２のプリントコントローラ５２では、印刷ジョブを受信すると、この印刷ジョブから印刷設定を読み込み、この印刷設定に含まれる紙種と一致する紙種の用紙１６を収容している給紙トレイ３４を選択すると共に、選択した給紙トレイ３４に対して設定されている紙種に基づいて各種のデバイスのパラメータを設定し、印刷実行時に、選択した給紙トレイ３４から用紙１６を取出すと共に、設定したパラメータに基づいた画像形成処理（印刷処理）を実行するようにしている。
【００７９】
また、印刷ジョブの印刷設定で指定されている紙種の用紙１６が、給紙トレイ３４に装填されていないことがある。すなわち、印刷ジョブの印刷設定とプリンタ１２の間で紙種のミスマッチが発生することがある。プリンタ１２では、ミスマッチ発生時の処理を設定することができる。
【００８０】
プリンタ１２では、この時の処理に対する設定は、「プリントセッテイ」（プリント設定）の「ヨウシシュルイエラー  ノ  ショリ」（用紙種類エラーの処理）から行うことができ、「セッテイヘンコウ  ヒョウジ」（設定変更表示）、「カクニンガメンヒョウジ」（確認画面表示）及び「プリント  スル」の何れかに設定可能となっている。
【００８１】
ここで、「セッテイヘンコウ  ヒョウジ」に設定されているときには、ミスマッチの発生で処理を中断して、ユーザーに給紙トレイ３４の何れかの選択を要求し、選択された給紙トレイ３４の紙種の設定を、一時的に印刷ジョブの紙種に変更する。
【００８２】
すなわち、ユーザがプリンタ１２上で選択した給紙トレイ３４に、印刷ジョブで設定されている紙種の用紙１６を追加することにより、該当給紙トレイ３４に対する紙種の設定を一時的に印刷ジョブの紙種に設定する。この後に、処理の再開が入力されることにより、プリンタ１２では、印刷ジョブに基づいた印刷処理を実行する。
【００８３】
また、「カクニンガメン  ヒョウジ」に設定されているときには、ミスマッチが発生した時に、処理を中断してプリンタ１２に装填されている用紙１６の紙種を表示し、表示した紙種から何れかの紙種が選択されることにより、印刷ジョブでの紙種の設定を破棄して、選択された給紙トレイ３４に設定されている紙種での印刷処理を実行する。
【００８４】
図６（Ａ）及び図６（Ｂ）には、そのときの表示の一例を示している。図６に示すように、ミスマッチが発生すると、ＬＣＤ６６にトレイと紙種を示すメッセージを表示する。また、下段に表示する紙種は、一定時間ごとや矢印キー７８Ｕ、７８Ｄの操作で切換えられ、また、矢印キー７８Ｌの操作で表示している紙種が選択される。
【００８５】
これにより、ＬＣＤ６６には、図６（Ｂ）に示す表示がなされ、排出／セットキー７６の操作で、該当給紙トレイ３４に対する紙種の設定が先に選択された紙種に変更され、この給紙トレイ３４に収容されている用紙１６を用いた印刷処理が可能となるようにしている。なお、プリント中止キー７２が操作されたときには、該当ジョブに対する印刷処理を中止する。
【００８６】
さらに、「プリント  スル」に設定されている時には、例えば、用紙サイズを優先して給紙トレイ３４を選択し、選択した給紙トレイ３４から取出した用紙１６を用いた印刷処理を実行する。
【００８７】
また、プリンタ１２では、紙種のミスマッチが発生した時に、印刷処理の中止、指定されている給紙トレイ３４の紙種を該当印刷ジョブに限り一時的に変更する紙種変更と共に、指定された給紙トレイ３４の紙種の設定を、印刷ジョブに基づいて変更する紙種の設定変更が可能となっており、これらを含む何れを、紙種のミスマッチ発生時に対する処理として設定可能となっている。
【００８８】
一方、クライアント端末１４に設けているプリンタドライバ６２では、紙種のミスマッチが発生した時の処理設定をクライアント端末１６側で印刷ジョブごとに可能となるようにしている。プリンタ１２では、ミスマッチが発生した時に、印刷ジョブの印刷設定でのミスマッチ発生時に対する処理設定が設定されていると、この設定を優先するようにしている。
【００８９】
プリンタドライバ６２には、印刷設定に用いるＵＩに、ミスマッチ発生時の処理を設定するＵＩが含まれており、このＵＩを用いて、クライアント端末１４を操作するユーザーが、ミスマッチ発生時の処理を選択できるようになっている。
【００９０】
図７には、このときに用いるＵＩの一例とする設定ウインド８０の概略を示している。この設定ウインドウ８０は、印刷設定に用いる図示しないＵＩから選択することにより、クライアント端末１４の図示しないモニタ（表示デバイス）に表示されるようになっている。
【００９１】
設定ウインドウ８０では、ラジオボタン８２Ａ、８２Ｂが設けられており、ミスマッチが発生した時に、印刷ジョブの設定を適用するか、プリンタ１２の設定を適用するかを選択可能となっており、デフォルトでは、ラジオボタン８２Ｂがチェックされてプリンタ１２の設定を適用するように設定されているが、ラジオボタン８２Ａをチェックすることにより、印刷ジョブの設定ウインド８０を用いた設定が適用されるようになる。なお、図７では、ラジオボタン８２Ａをチェックした状態を示している。
【００９２】
設定ウインド８０では、ラジオボタン８２Ａをチェックすることにより、印刷ジョブでミスマッチに対する処理の設定が可能となっており、この時には、先ず、ユーザ介入、すなわち、印刷ジョブを依頼するユーザーが介入するか否かを、ラジオボタン８４Ａ、８４Ｂで選択できるようになっている。
【００９３】
この時に、ラジオボタン８４Ｂを選択することにより、ユーザーが介入せずに、プリンタ１２が処理を実行するように設定される。これにより、プリンタ１２では、ミスマッチ処理に対して「プリント  スル」が設定され、印刷ジョブの紙種の変更して、印刷処理を実行する。
【００９４】
また、ラジオボタン８４Ａを選択した時には、プリンタ１２上でユーザーが介入した処理及び操作を行うように設定（処理設定）することができる。
【００９５】
この時の処理設定には、ラジオボタン８６Ａ〜８６Ｄによって、「該当ジョブのみの紙種を変更して印刷」、「トレイに紙種を設定」、「プリンタの設定にしたがう」及び「印刷中止」の何れかを選択できるようにしている。
【００９６】
ここで、ラジオボタン８６Ａがチェックされて、「該当ジョブのみの紙種を変更して印刷」が選択されていると、プリンタ１２では、給紙トレイ３４の選択を促す表示を行い、選択された給紙トレイ３４に、印刷設定に基づいた紙種の用紙１６が装填されたものとして印刷処理を実行する。また、プリンタ１２では、該当印刷ジョブが終了すると、選択された給紙トレイ３４の紙種を、印刷ジョブの実行前に設定されていた元の紙種に設定する。
【００９７】
これに対して、ラジオボタン８６Ｂがチェックされて、「トレイの紙種を設定」が選択されていると、プリンタ１２では、給紙トレイ３４の選択を促す表示を行うと共に、選択された給紙トレイ３４に、印刷設定に基づいた紙種の用紙１６が装填されたものとして印刷処理を実行する。また、プリンタ１２では、該当印刷ジョブが終了した後も、印刷ジョブで設定されている紙種の設定を保持する。
【００９８】
すなわち、ラジオボタン８６Ａをチェックしたときには、プリンタ１２での「カクニン  ガメン  ヒョウジ」と同等の処理がなされ、チェックボタン８６Ｂをチェックしたときには、「セッテイヘンコウ  ヒョウジ」と同等の処理がなされ、クライアント端末１４から給紙トレイ３４の紙種の設定を変更することができるようにしている。
【００９９】
また、ラジオボタン８６Ｄがチェックされていると、プリンタ１２では、該当印刷ジョブに対する印刷処理を中止（アボート）し、チェックボタン８６Ｃがチェックされているときには、プリンタ１２で設定されているミスマッチに対する処理が実行される。
【０１００】
ここで、本実施の形態の作用として、図８及び図９を参照しながら、プリンタドライバ６２を用いて印刷設定が行われた印刷ジョブに対するプリンタ１２での処理の概略を説明する。なお、ここでは、主に紙種のミスマッチに対する処理に沿った説明を行う。
【０１０１】
図８には、クライアント端末１４から送信される印刷ジョブに対する処理の流れの概略を示しており、最初のステップ１００では、印刷ジョブを受信したか否かを確認する。
【０１０２】
ここで、印刷ジョブを受信すると、ステップ１００で肯定判定してステップ１０２へ移行し、印刷ジョブから印刷設定を読み出す。次のステップ１０４では、紙種の設定から、一致する紙種を収容している給紙トレイ３４があるか否かを確認し、紙種が一致する給紙トレイ３４があるときには、ステップ１０４で肯定判定してステップ１０６へ移行する。
【０１０３】
このステップ１０６では、該当する給紙トレイ３４から用紙１６を取出すように設定する。これと共に、ステップ１０８では、紙種を含む印刷設定に基づいて、各種のパラメータ、印刷条件の設定を行う。
【０１０４】
この後、ステップ１１０では、印刷ジョブのデータ（画像データ）に対して画像処理及びＲＩＰ処理を行い、ＲＩＰ処理して生成したデータ（ラスタデータ）に基づいて感光体ドラム２０を露光し、記録紙１２に画像を形成する（ステップ１１２）。
【０１０５】
ところで、印刷ジョブの印刷設定で指定されている紙種の用紙１６が、給紙トレイ３４Ａ〜３４Ｄの何れにも収容されていないというミスマッチが発生すると、ステップ１０４で否定判定される。これにより、プリンタ１２では、ステップ１１４へ移行してミスマッチ処理を実行する。なお、プリンタ１２では、予めミスマッチが発生した時の処理が設定されている。
【０１０６】
クライアント端末１４では、プリンタドライバ６２を用いて印刷設定を行うときに、ミスマッチに対する処理設定が可能となっており、プリンタ１２のプリントコントローラ５２では、印刷ジョブの設定及びプリンタ１２でのミスマッチに対する処理設定に基づいた処理を実行する。
【０１０７】
図９には、この時のミスマッチ処理の概略を示している。このフローチャートは、前記した図８でステップ１１４へ移行することにより実行され、最初のステップ１２０では、印刷ジョブの設定からミスマッチに対する処理設定を読込み、次のステップ１２２では、ミスマッチに対する処理として印刷ジョブの設定を用いるか否か、すなわち、ミスマッチに対する処理として印刷ジョブの設定を適用するかプリンタ１２の設定を適用するかを確認する。
【０１０８】
ここで、設定ウィンド８０で、ラジオボタン８２Ａがチェックされているときには、ステップ１２２で肯定判定されて、印刷ジョブの設定が用いられるように設定される。
【０１０９】
これに対して、設定ウインド８０でラジオボタン８２Ｂがチェックされているときには、ステップ１２２で否定判定して、ステップ１２４へ移行し、プリンタ１２での設定を読み込み、プリンタ１２での設定に基づいた処理が可能となるようにする。
【０１１０】
プリンタ１２では、紙種のミスマッチ処理に対して、既存の紙種からユーザが選択した紙種で印刷処理を実行する「カクニンガメンヒョウジ」、何れかの給紙トレイ３４に、必要な紙種の用紙１６を装填して、印刷ジョブに基づいた紙種で印刷処理を実行する「セッテイヘンコウ  ヒョウジ」及び、既存の紙種でプリンタ１２が選択した用紙１６を用いて印刷処理を実行する「プリント  スル」に加え、給紙トレイ３４の紙種の設定を印刷ジョブの紙種に変更する設定変更及び、該当印刷ジョブに対する処理の中止の何れかが設定されており、この設定が読み込まれる。
【０１１１】
このようにしてミスマッチに対する処理の設定を行うと、設定に基づいた処理を実行する。なお、クライアント端末１４に設けているプリンタドライバ６２では、プリンタ１２上での設定と同等の設定が可能となっており、以下では、主として印刷ジョブの設定を例に説明する。
【０１１２】
ミスマッチに対する処理が設定されると、先ず、ステップ１２６では、プリンタ１２でユーザがプリンタ１２の操作を行うユーザ介入が設定されているか否かを確認する。ここで、ラジオボタン８４Ｂがチェックされて、ユーザが介入しないように設定されている時には、ステップ１２６で否定判定する。
【０１１３】
また、プリンタ１２の設定で、既存の紙種でプリンタ１２が選択した用紙１６を用いて印刷処理を実行する「プリント  スル」に設定されているときには、ステップ１２６で否定判定される。
【０１１４】
このステップ１２６で否定判定されると、ステップ１２８へ移行する。このステップ１２８では、プリンタ１２上でユーザが介入することなく、印刷ジョブが継続される。
【０１１５】
すなわち、このステップ１２８では、プリンタ１２に装填されている紙種から、例えば、用紙サイズ、用紙サイズの置換え設定などに基づいて使用する用紙１６を設定し、設定した用紙１６を収容している給紙トレイ３４を選択し、また、選択した給紙トレイ３４に対して設定されている紙種に基づいてパラメータを設定して印刷処理が実行されるようにする。
【０１１６】
一方、クライアント端末１４のプリンタドライバ６２（設定ウインドウ８０）では、ユーザが介入する処理として、「該当印刷ジョブのみ紙種を変更して印刷」（何れかの給紙トレイ３４の紙種を一時的に変更する）、「トレイに紙種を設定」（何れかの給紙トレイの紙種の設定を変更）及び、「プリンタの設定にしたがう」（既存の紙種の用紙１６を用いる）の何れかが選択可能となっており、この他に、「印刷中止」が選択可能となっている。
【０１１７】
ここから、ステップ１２６で肯定判定されると、ステップ１３０では、印刷設定が該当印刷ジョブのみの紙種の変更か否かを確認し、ステップ１３２では、既存の紙種から用紙１６を選択する（プリンタ１２の設定に従う）か否かを確認し、ステップ１３４では、トレイの紙種を変更するか否かを確認する。
【０１１８】
また、プリンタ１２の設定を適用しているときには、何れかの給紙トレイ３４に、必要な紙種の用紙１６を装填して、印刷ジョブに基づいた紙種で印刷処理を実行する「セッテイヘンコウ  ヒョウジ」に設定されているか否かをステップ１３０で確認し、既存の紙種からユーザが選択した紙種で印刷処理を実行する「カクニンガメンヒョウジ」に設定されているか否かをステップ１３２で確認し、給紙トレイ３４の紙種の設定を印刷ジョブの紙種に変更する設定変更に設定されているか否かをステップ１３４で確認する。
【０１１９】
ここで、ラジオボタン８６Ａがチェックされたり、プリンタ１２での設定で、ミスマッチ処理に対する設定が、該当印刷ジョブのみの紙種の変更になっているときには、ステップ１３０で肯定判定してステップ１３６へ移行する。
【０１２０】
また、ラジオボタン８６Ｂがチェックされて、プリンタ１２の設定にしたがうように設定されているときや、プリンタ１２で「カクニンガメンヒョウジ」に設定されているときには、ステップ１３２で肯定判定してステップ１４０へ移行する。
【０１２１】
さらに、ラジオボタン８６Ｃがチェックされているときいや、プリンタ１２の設定で給紙トレイ３４の各種の設定変更が設定されているときには、ステップ１３０、１３２で否定判定された後、ステップ１３４で肯定判定され、ステップ１４２へ移行する。
【０１２２】
また、ラジオボタン８６Ｄがチェックされるなどして印刷中止に設定されているときには、ステップ１３０〜１３４のそれぞれで否定判定されることにより、ステップ１４４へ移行して、印刷中止が設定される。
【０１２３】
ステップ１３０で肯定判定されることにより移行するステップ１３８では、操作パネル５４のＬＣＤ６６上に、給紙トレイ３４の選択を促す表示を行い、印刷ジョブを依頼したユーザが給紙トレイ３４を選択することにより、選択された給紙トレイ３４に対する紙種の設定を、印刷ジョブ上の紙種に一時的に変更する。
【０１２４】
これにより、ユーザが選択した給紙トレイ３４に、印刷ジョブに応じた紙種を追加するなどして装填することにより、印刷ジョブの設定に沿った紙種での印刷処理が可能となるようにする。
【０１２５】
また、ステップ１３２で肯定判定されることにより移行するステップ１４０では、操作パネル５４上のＬＣＤ６６に現在装填されている紙種を表示し、ユーザから何れの紙種を用いるかの選択を促す。これにより、ユーザが紙種を選択することより、選択された紙種での印刷処理を開始できるようにする。
【０１２６】
一方、ステップ１３４で肯定判定判定されることにより移行するステップ１４２では、操作パネル５４のＬＣＤ６６に、紙種の設定変更を行う給紙トレイ３４の選択を促す表示を行う。これにより、ユーザが操作パネル５４上のキー操作によって給紙トレイ３４を選択すると、印刷ジョブで指定されている紙種を表示し、この表示に対して、例えば、排出／セットキー７６が操作されることにより、選択された給紙トレイ３４の紙種の設定を変更する。
【０１２７】
これと共に、ユーザが選択した給紙トレイ３４に、新たに設定した紙種の用紙１６を入れ替えることにより、この給紙トレイ３４に装填された用紙１６を用いた印刷処理が可能となるようにする。
【０１２８】
なお、ステップ１３８、１４０、１４２を実行するときには、アラームを発したり、印刷ジョブを依頼したクライアントＰＣ１４の図示しないモニタに、プリンタ１２での操作や処理を促すメッセージを表示して、ユーザーにミスマッチの発生を報知することが好ましい。
【０１２９】
また、アラームは、何らの操作もなされずに所定時間経過した時に発して、ユーザーの操作を催促するようにしても良く、さらに、何らの操作がなされずに一定以上の時間が経過した時には、例えば、処理待ちジョブとしてスプールして、次の印刷ジョブを実行するようにしてもよい。
【０１３０】
さらに、印刷中止は、ステップ１１４へ移行したときのみならず、例えば、ステップ１３８〜１４２の何れかでＬＣＤ６６に所定の表示を行っている状態で、プリント中止キー７２が操作されることにより設定されるようにしてもよい。
【０１３１】
このようにして、印刷処理に用いる用紙１６の紙種が設定されると、図８のステップ１１６では、印刷処理を実行するか否かを確認し、図９のステップ１２８で紙種が設定されたときや、ステップ１３８，１４０で紙種が設定されて印刷開始が指示されたときには、ステップ１１６で肯定判定して、印刷処理を再開する。
【０１３２】
なお、印刷中止に設定されているときや、プリント中止キー７２が操作されたときには、ステップ１１６で否定判定して、この印刷ジョブに対する処理を終了（中止）する。
【０１３３】
このように、ネットワーク１０では、クライアント端末１４に設けたプリンタドライバ６２を用いることにより、クライアント端末１４上で、紙種のミスマッチが生じた時の処理の設定を行う。
【０１３４】
また、クライアント端末１４に設けるプリンタドライバ６２では、紙種のミスマッチに合わせて、給紙トレイ３４の紙種の設定を変更することができるので、ユーザーが同じ紙種の用紙１６を引き続いて使用するときに、ミスマッチが生じるのを防止することができると共に、給紙トレイ３４に紙種を設定するための処理を簡単に行うことができる。
【０１３５】
すなわち、プリンタ１２で給紙トレイ３４の紙種を変更するときには、階層を追って、給紙トレイ３４及び設定する紙種を選択しなければならないが、プリンタドライバ６２を用いることにより、給紙トレイ３４の選択と、設定する紙種の選択を容易に行うことが可能となる。
【０１３６】
なお、以上説明した本実施の形態は、本発明の構成を限定するものではない。例えば、ミスマッチが発生した時に、印刷処理を継続するか否かにかかわらず、プリンタ１２がアラームを発したり、ミスマッチが発生したことを操作パネル５４のＬＣＤ６６上に表示したり、また、印刷ジョブを依頼したクライアント端末１４の図示しないモニタに表示するようにしてもよい。
【０１３７】
これにより、例えば、印刷設定と異なる紙種に画像を形成したことをユーザーに明確に報知することができる。また、ミスマッチの発生を解消するためのプリンタ１２上での操作を、ユーザーに促すことができる。
【０１３８】
また、本発明は、本実施の形態に適用したネットワーク１０、プリンタ１２及びクライアント端末１４に限らず、給紙トレイごとに紙種を設定し、紙種に応じた高品質の画像形成を可能とする任意の構成の画像形成装置、画像処理装置及びこれらが設けられる任意構成のネットワークに適用することができる。
【０１３９】
さらに、画像形成装置としては、給紙用として手差しトレイや、表（おもて）表紙、バナー用紙、合紙などの特殊用途に使用する記録紙を収容するための給紙トレイを備えたものであっても良いが、これらの特殊用途のトレイへは適用しないようにしてもよい。
【図面の簡単な説明】
【０１４０】
【図１】本実施の形態に適用したネットワークの概略図である。
【図２】本実施の形態に画像形成装置として適用したプリンタの一例を示す概略構成図である。
【図３】プリンタの構成概略を示すブロック図である。
【図４】プリンタに設けた操作パネルの一例を示す概略図である。
【図５】プリンタで紙種の設定を行うときのＬＣＤの表示の流れの一例を示す概略図である。
【図６】（Ａ）及び（Ｂ）は、紙種の変更を行う時のＬＣＤの表示の一例を示す概略図である。
【図７】印刷設定手段として用いるユーザインターフェイスの一例を示す概略図である。
【図８】プリンタでの印刷処理の概略を示す流れ図である。
【図９】ミスマッチに対する処理の一例を示す流れ図である。
【符号の説明】
【０１４１】
１０    ネットワーク
１２    プリンタ（画像形成装置）
１４    クライアント端末（画像処理装置）
１６    用紙（画像形成用紙）
１８    給紙部
２０    プリントエンジン
３４（３４Ａ〜３４Ｄ）    給紙トレイ
５０    画像処理部
５２    プリントコントローラ
５４    操作パネル（入力操作手段）
６２    プリンタドライバ（印刷設定手段）
８０    設定ウインドウ（印刷設定手段）
【図１】
2006205402.tif 000003
【図２】
2006205402.tif 000004
【図３】
2006205402.tif 000005
【図４】
2006205402.tif 000006
【図５】
2006205402.tif 000007
【図６】
2006205402.tif 000008
【図７】
2006205402.tif 000009
【図８】
2006205402.tif 000010
【図９】
2006205402.tif 000011